(57)【要約】      （修正有）【課題】転写基板から複数の板状ワークを粘着保持して搬送し、搬送先では複数の板状ワーク（表面側）から複数の粘着部の粘着面が微小な力で各板状ワークへの機械的応力を抑制しながら剥離可能になって複数の板状ワークを確実に転写させる。【解決手段】制御部５は接離用駆動部３によるチャック本体１の転写基板１０への接近移動に伴って、複数の粘着部２が複数の板状ワークＷに圧接し、接離用駆動部によるチャック本体の被転写基板２０への接近移動に伴い、板状ワークが被転写基板の保持部２２に圧接して保持され、剥がし用駆動部４によるチャック本体の被転写基板からの離隔方向への局部的な曲げに伴い、板状ワークに対して粘着部の粘着面２aが傾動して粘着面の外側一端部分から剥がれるように制御される。【選択図】図１
2020027809.tif 000002
【特許請求の範囲】
【請求項１】
転写基板に配列した微小素子が含まれる複数の板状ワークを、前記転写基板から受け取って被転写基板の所定位置に受け渡すワーク転写用チャックであって、
前記複数の板状ワークを配列した前記転写基板か、又は前記複数の板状ワークの保持部を配列した前記被転写基板のいずれか一方と対向するように設けられる曲げ変形可能なシート状のチャック本体と、
前記チャック本体の表面に前記チャック本体の厚み方向へ弾性変形可能に突出形成され、且つ前記転写基板の前記複数の板状ワーク又は前記被転写基板の前記複数の保持部と前記チャック本体の厚み方向へ対向するように配列される複数の粘着部と、
前記転写基板又は前記被転写基板のいずれか一方に対して前記チャック本体の前記複数の粘着部を前記チャック本体の厚み方向へ接近移動或いは隔離移動させる接離用駆動部と、
前記チャック本体の一部を前記被転写基板から離隔する前記チャック本体の厚み方向及び前記複数の粘着部の配列方向へ曲げる剥がし用駆動部と、
前記接離用駆動部及び前記剥がし用駆動部を作動制御する制御部と、を備え、
前記制御部は、前記接離用駆動部による前記チャック本体の前記転写基板への接近移動に伴って、前記複数の粘着部が前記複数の板状ワークに圧接し、前記接離用駆動部による前記チャック本体の前記被転写基板への接近移動に伴い、前記複数の粘着部で粘着保持した前記複数の板状ワークが前記被転写基板の前記複数の保持部に圧接して保持され、前記剥がし用駆動部による前記チャック本体の前記被転写基板からの離隔方向への局部的な曲げに伴い、前記複数の保持部で保持した前記複数の板状ワークに対して、前記複数の粘着部の粘着面が傾動して前記粘着面の外側一端部分から剥がれるように制御されることを特徴とするワーク転写用チャック。
【請求項２】
前記剥がし用駆動部は、前記チャック本体の裏面に沿って移動自在な所定重量の部分加圧部材を有し、前記部分加圧部材の端面に沿って前記チャック本体が局部的に屈曲されることを特徴とする請求項１記載のワーク転写用チャック。
【請求項３】
前記チャック本体の前記表面に前記複数の粘着部と複数の非粘着部が、前記複数の粘着部の配列方向へ交互に配置され、前記複数の粘着部又は前記複数の非粘着部のいずれか一方が、前記転写基板の前記複数の板状ワークにおいて表面側の一部位と対向するように配置され、前記複数の粘着部又は前記複数の非粘着部の他方が、前記複数の板状ワークの前記表面側の他部位と対向するように配置されることを特徴とする請求項１又は２記載のワーク転写用チャック。
【請求項４】
前記複数の粘着部が、加温により膨張し冷却により収縮する材料で形成され、前記制御部により前記接離用駆動部が加温制御され、前記剥がし用駆動部が冷却制御されることを特徴とする請求項３記載のワーク転写用チャック。
【請求項５】
前記チャック本体及び前記複数の粘着部と、前記接離用駆動部と、前記剥がし用駆動部と、前記転写基板又は前記被転写基板が変圧室の内部に配置され、前記変圧室は、前記制御部で作動制御される室圧調整手段を有し、前記制御部は、前記室圧調整手段により前記変圧室を、前記複数の粘着部による前記複数の板状ワークの受け取り時に大気圧よりも低圧な第一減圧雰囲気に制御し、前記接離用駆動部による前記被転写基板への受け渡し時に前記大気圧に戻し、前記剥がし用駆動部による前記複数の板状ワークからの前記複数の粘着部の剥離時に前記第一減圧雰囲気と同じ又はそれよりも低圧な第二減圧雰囲気に制御することを特徴とする請求項１又は２記載のワーク転写用チャック。
【請求項６】
転写基板に配列した微小素子が含まれる複数の板状ワークを、前記転写基板から受け取って被転写基板の所定位置に受け渡すワーク転写方法であって、
曲げ変形可能なシート状のチャック本体の表面に突出形成された弾性変形可能な複数の粘着部を、前記転写基板に配列された前記複数の板状ワークと対向した状態で、接離用駆動部により前記チャック本体が前記転写基板に向け接近移動して、前記複数の粘着部の粘着面を前記複数の板状ワークに圧接させる押圧工程と、
前記複数の粘着部の前記粘着面を前記複数の板状ワークに粘着する粘着工程と、
前記チャック本体の前記複数の粘着部が、前記被転写基板に配列した前記複数の板状ワークの保持部と対向した状態で、前記接離用駆動部により前記チャック本体が前記被転写基板に向け接近移動して、前記複数の粘着部に粘着保持した前記複数の板状ワークを前記被転写基板の前記保持部に圧接させて保持する受け渡し工程と、
剥がし用駆動部により前記チャック本体の一部が前記被転写基板から離隔する前記チャック本体の厚み方向及び前記複数の粘着部の配列方向へ曲げられ、前記複数の保持部で保持された前記複数の板状ワークに対し、前記複数の粘着部の前記粘着面を傾動して前記粘着面の外側一端部分から剥がす剥離工程と、を含むことを特徴とするワーク転写方法。
【発明の詳細な説明】
【技術分野】
【０００１】
本発明は、マイクロＬＥＤなどの微小素子を含む板状のワークを受け取って、転写先の被転写基板の所定位置に受け渡すために用いられるワーク転写用チャック、及び、ワーク転写用チャックを用いたワーク転写方法に関する。
【背景技術】
【０００２】
従来、この種のワーク転写方法として、サファイア基板上に形成され所定の周期で配列された複数の素子を、複数の素子の配列を維持したまま個々の素子に分離する素子分離工程と、個々に分離した素子を操作して各素子を仮基板に再配列する再配列工程と、仮基板に再配列した状態を保持したまま各素子を実装基板に転写する転写工程とからなる素子実装方法がある（例えば、特許文献１参照）。
仮基板の表面には粘着材層が塗布され、仮基板をサファイア基板に近づけることにより、粘着材層が素子（２０μｍ角のＬＥＤチップ）に圧着して、素子を埋め込んだ状態で粘着する。
再配列工程では、複数の素子のうち選択した素子のみにサファイア基板の裏面からパルス紫外線レーザのレーザ光を表面側に透過するように照射することにより、サファイア基板との間の接合力が弱くなる。これに続いてサファイア基板から仮基板を引き離すことにより、選択された素子のみがサファイア基板から剥離して仮基板に転写される。
実装基板（配線用基板）上には配線電極が形成され、仮基板を実装基板に近づけて素子を配線電極に圧着させることにより、配線電極に対して素子を確実に固定（電気的な接続）し、仮基板に仮転写された素子を実装基板に本転写して実装が完了する。
実装の完了後は、実装基板から仮基板を引き離して、実装基板に本転写した素子と仮基板の粘着材層が剥離される。
また特許文献１に関して特許文献２の[0005]-[0008]には、仮基板（素子保持基板）から実装基板（装置基板）に素子を転写する際に、仮基板に仮固定された素子上に接着剤を滴下し、その後に実装基板が素子に接着され、接着剤によって素子が強力に接着された実装基板と仮基板を剥離させることが記載されている。さらに仮基板の粘着材層が素子を埋め込んだ状態で硬化することが記載されている。
【先行技術文献】
【特許文献】
【０００３】
【特許文献１】特開２００２−１１８１２４号公報
【特許文献２】特開２００４−２８１６３０号公報
【発明の概要】
【発明が解決しようとする課題】
【０００４】
ところで、微小素子の中でもＬＥＤチップは、コスト低減のために小型化され、小型化したＬＥＤチップを高速・高精度に実装するための取組みが行われている。特にＬＥＤディスプレイに用いられるＬＥＤは、マイクロＬＥＤと呼ばれるサイズが５０μｍ×５０μｍ以下のＬＥＤチップであり、ＬＥＤチップを数μｍの精度で高速に転写して実装することが求められている。
しかし乍ら、特許文献１では、実装基板（装置基板）に対する仮基板（素子保持基板）の引き離し移動により実装基板と仮基板を剥離させるため、大きな剥離力が必要になって、素子が接着剤によって強力に接着された実装基板から仮基板の粘着材層を剥離することが困難であった。
詳しく説明すると、従来から一般的に行われるように、実装基板や素子から仮基板の粘着材層を実装基板の直交方向へ引き剥がす場合は、粘着面積の大気差圧に抗する大きな剥離力が必要となる。
特に仮基板や実装基板が大型で一度に大量の素子を転写する場合には、大量の素子に対する粘着材層の仮固定力が更に強化されるため、実装基板から仮基板の剥離がより困難になった。
これにより、剥離時において素子や実装基板や仮基板に機械的応力が集中して作用するため、変形や破損のおそれがあるとともに、転写した素子が位置ズレするおそれがあって精度が低下するという問題があった。
また、仮基板の粘着材層が素子を埋め込み硬化することで仮基板に素子が仮固定されるため、仮基板から素子を実装基板に転写した後は、粘着材層を再利用することが困難である。これにより、素子を転写する度に新しい粘着材層や仮基板が必要になってコストアップになるという問題もあった。
【課題を解決するための手段】
【０００５】
このような課題を解決するために本発明に係るワーク転写用チャックは、転写基板に配列した微小素子が含まれる複数の板状ワークを、前記転写基板から受け取って被転写基板の所定位置に受け渡すワーク転写用チャックであって、前記複数の板状ワークを配列した前記転写基板か、又は前記複数の板状ワークの保持部を配列した前記被転写基板のいずれか一方と対向するように設けられる曲げ変形可能なシート状のチャック本体と、前記チャック本体の表面に前記チャック本体の厚み方向へ弾性変形可能に突出形成され、且つ前記転写基板の前記複数の板状ワーク又は前記被転写基板の前記複数の保持部と前記チャック本体の厚み方向へ対向するように配列される複数の粘着部と、前記転写基板又は前記被転写基板のいずれか一方に対して前記チャック本体の前記複数の粘着部を前記チャック本体の厚み方向へ接近移動或いは隔離移動させる接離用駆動部と、前記チャック本体の一部を前記被転写基板から離隔する前記チャック本体の厚み方向及び前記複数の粘着部の配列方向へ曲げる剥がし用駆動部と、前記接離用駆動部及び前記剥がし用駆動部を作動制御する制御部と、を備え、前記制御部は、前記接離用駆動部による前記チャック本体の前記転写基板への接近移動に伴って、前記複数の粘着部が前記複数の板状ワークに圧接し、前記接離用駆動部による前記チャック本体の前記被転写基板への接近移動に伴い、前記複数の粘着部で粘着保持した前記複数の板状ワークが前記被転写基板の前記複数の保持部に圧接して保持され、前記剥がし用駆動部による前記チャック本体の前記被転写基板からの離隔方向への局部的な曲げに伴い、前記複数の保持部で保持した前記複数の板状ワークに対して、前記複数の粘着部の粘着面が傾動して前記粘着面の外側一端部分から剥がれるように制御されることを特徴とする。
また、このような課題を解決するために本発明に係るワーク転写方法は、転写基板に配列した微小素子が含まれる複数の板状ワークを、前記転写基板から受け取って被転写基板の所定位置に受け渡すワーク転写方法であって、曲げ変形可能なシート状のチャック本体の表面に突出形成された弾性変形可能な複数の粘着部を、前記転写基板に配列された前記複数の板状ワークと対向した状態で、接離用駆動部により前記チャック本体が前記転写基板に向け接近移動して、前記複数の粘着部の粘着面を前記複数の板状ワークに圧接させる押圧工程と、前記複数の粘着部の前記粘着面を前記複数の板状ワークに粘着する粘着工程と、前記チャック本体の前記複数の粘着部が、前記被転写基板に配列した前記複数の板状ワークの保持部と対向した状態で、前記接離用駆動部により前記チャック本体が前記被転写基板に向け接近移動して、前記複数の粘着部に粘着保持した前記複数の板状ワークを前記被転写基板の前記保持部に圧接させて保持する受け渡し工程と、剥がし用駆動部により前記チャック本体の一部が前記被転写基板から離隔する前記チャック本体の厚み方向及び前記複数の粘着部の配列方向へ曲げられ、前記複数の保持部で保持された前記複数の板状ワークに対し、前記複数の粘着部の前記粘着面を傾動して前記粘着面の外側一端部分から剥がす剥離工程と、を含むことを特徴とする。
【図面の簡単な説明】
【０００６】
【図１】本発明の実施形態に係るワーク転写用チャック及びワーク転写方法の全体構成を示す説明図であり、（ａ）が位置決め工程の一部切欠正面図、（ｂ）が押圧工程及び粘着工程の一部切欠正面図、（ｃ）が離脱工程の一部切欠正面図、（ｄ）が受け渡し工程の一部切欠正面図、（ｅ）が剥離工程の一部切欠正面図である。
【図２】図１（ｄ）の（２）−（２）線に沿える部分的な横断平面図である。
【図３】粘着部の変形例を示す説明図であり、図１（ｄ）の（２）−（２）線に沿える部分的な横断平面図である。
【図４】接離用駆動部の一例を示す説明図であり、（ａ）が押圧前の縮小一部切欠正面図、（ｂ）が押圧途中の縮小一部切欠正面図である。
【図５】剥がし用駆動部の変形例を示す説明図であり、押圧前から剥離までを一連で行う場合の縮小一部切欠正面図である。
【発明を実施するための形態】
【０００７】
以下、本発明の実施形態を図面に基づいて詳細に説明する。
本発明の実施形態に係るワーク転写用チャックＡは、図１〜図５に示すように、転写基板１０に配列された複数の板状ワークＷを、その配列状態のまま転写基板１０から受け取って保持し、転写先（搬送先）の被転写基板２０まで搬送してから、被転写基板２０の所定位置に受け渡して転写するための搬送チャック装置である。
特に複数の板状ワークＷを圧力差によって着脱自在に粘着保持する粘着タイプのチャックである。
詳しく説明すると、本発明の実施形態に係るワーク転写用チャックＡは、曲げ変形可能なシート状のチャック本体１と、チャック本体１の表面１ａに形成される複数の粘着部２と、転写基板１０や被転写基板２０に対してチャック本体１の複数の粘着部２を接近移動又は隔離移動させるように設けられる接離用駆動部３と、チャック本体１を局部的に被転写基板２０から離隔して曲げるように設けられる剥がし用駆動部４と、接離用駆動部３及び剥がし用駆動部４などを作動制御する制御部５と、を主要な構成要素として備えている。
さらにチャック本体１の表面１ａには、複数の粘着部２と交互に配列される複数の非粘着部２′を備えることが好ましい。
なお、チャック本体１は通常、転写基板１０や被転写基板２０に対して上下方向へ対向するように配置され、上下の対向方向を以下「Ｚ方向」という。Ｚ方向と交差する転写基板１０や被転写基板２０に沿った方向を以下「ＸＹ方向」という。
【０００８】
複数の板状ワークＷは、少なくともその表面側Ｗ１が平滑な略矩形（長方形及び正方形を含む角が直角の四辺形）の薄板状に形成され、転写基板１０の主面１１に複数の板状ワークＷを配列している。
複数の板状ワークＷの具体例としては、主にマイクロＬＥＤと呼ばれる５０μｍ×５０μｍ以下、詳しくは３０μｍ×３０μｍ以下、さらに詳しくは数十μｍ角のＬＥＤチップや、その他のマイクロデバイスなどの微細化された微小素子などが挙げられる。
また複数の板状ワークＷの他の例としては、微小素子以外の微細な平板体や、例えば３００μｍ角などのＬＥＤチップなどの一般的なサイズのワークを含むことも可能である。
図示例の場合には、複数の板状ワークＷのすべてが同じサイズに設定されている。
【０００９】
本発明の先行技術となる特開２００２−１１８１２４号記載の素子実装方法では、サファイア基板上に複数の素子（一辺が５μｍ〜１００μｍ程度の発光ダイオード）を所定の周期で配列して形成するとともに、複数の素子の配列を維持したまま個々の素子に分離している。
さらに特開２００２−１１８１２４号記載の素子実装方法では、個々に分離した素子を操作して各素子を再配列する再配列工程が、周期の整数倍に相当する間隔で飛び々に素子を選択して再配列する間引選択手順を含み、再配列した状態を保持したまま各素子を実装基板に転写する転写工程が、選択された素子を実装基板の一部分に転写する部分転写手順を含み、間引選択手順と部分転写手順を繰り返す選択転写方式により複数の素子を実装基板の全体に転写している。
素子実装方法において複数の素子は、間引選択手順と部分転写手順を繰り返す選択転写方式により基板に実装されている。
間引選択手順は、配列された複数の素子のうち選択した素子のみを仮基板（一時保持用基板、別の仮基板）に仮転写して再配列し、部分転写手順は、仮基板（別の仮基板）に仮転写された素子を実装基板（配線用基板）に本転写している。
【００１０】
本発明において複数の板状ワークＷは、前述した特開２００２−１１８１２４号記載の素子実装方法の「複数の素子」に相当している。本発明の転写基板１０は、「サファイア基板」に相当している。本発明のチャック本体１は、「仮基板（一時保持用基板、別の仮基板）」に相当している。本発明の被転写基板２０は、「実装基板（配線用基板）」に相当している。
つまり、本発明でいう転写基板１０とは、その主面１１側がサファイアやガリウムヒ素などからなるキャリア基板やウエハであり、転写基板１０において後述するチャック本体１とＺ方向へ対向する主面１１には、複数の板状ワークＷがＸ方向やＹ方向へ所定の周期で配列される。図示例の場合には、複数の板状ワークＷをＸ方向及びＹ方向へそれぞれ所定の周期で格子状に配列している。
本発明でいう被転写基板２０とは、実装基板（配線用基板）や回路基板などからなり、被転写基板２０において後述するチャック本体１とＺ方向へ対向する受け面２１は、複数の板状ワークＷの保持部２２を有している。
複数の板状ワークＷの保持部２２は、転写基板１０における複数の板状ワークＷの配列状態と一致するようにＸ方向やＹ方向へ所定の周期で配列される。図示例の場合には、複数の板状ワークＷの保持部２２をＸ方向及びＹ方向へそれぞれ所定の周期で格子状に配列している。各保持部２２は、粘着性を有するペーストなどからなり、素子実装方法の配線電極や接合用導電材と同様に、複数の板状ワークＷの裏面側Ｗ２が複数の保持部２２に圧接することで、変形しながら電気的な接続を果たすように構成されている。
【００１１】
本発明の実施形態として図１〜図５に示される場合には、転写基板１０に配列された複数の板状ワークＷのすべてを、その配列状態のまま後述するチャック本体１の複数の粘着部２で受け取り、搬送先の被転写基板２０の複数の保持部２２に受け渡して転写（実装）している。
また、その他の例として図示しないが、転写基板１０に配列された複数の板状ワークＷのうち選択した板状ワークＷのみを、その配列状態のまま後述するチャック本体１の複数の粘着部２で受け取り、搬送先の被転写基板２０の複数の保持部２２に受け渡して転写（実装）することも可能である。
なお、転写基板１０の主面１１において複数の板状ワークＷが配列される箇所には、レーザ光の照射に伴って分離可能なＵＶ硬化樹脂などからなる分離層（図示しない）を塗布形成することが好ましい。
【００１２】
チャック本体１は、軟質合成樹脂やゴムなど所定の引っ張り強度と可撓性を有する軟質材料で、少なくともその厚み方向（Ｚ方向）へ曲げ変形可能なシート状に形成される。
チャック本体１は、その表面１ａを図１〜図５に示されるように、転写基板１０に配列された複数の板状ワークＷや、被転写基板２０に配列された複数の板状ワークＷの保持部２２とチャック本体１の厚み方向（Ｚ方向）Ｚ方向へ対向させるように配設される。
チャック本体１において転写基板１０や被転写基板２０と対向する表面１ａは、転写基板１０や被転写基板２０に向けて突出形成される複数の粘着部２を有している。
複数の粘着部２は、チャック本体１の厚み方向（Ｚ方向）へ弾性変形可能な粘着材料でシート状に形成され、転写基板１０における複数の板状ワークＷの配列状態や、被転写基板２０における複数の保持部２２の配列状態と一致するようにＸ方向やＹ方向又はＸＹ方向（Ｘ方向及びＹ方向）へ所定の周期で配列している。
さらに複数の粘着部２は、複数の板状ワークＷとＺ方向へ対向する粘着面２ａを有し、各粘着面２ａは、各板状ワークＷの表面側Ｗ１と略平行な平滑面に形成され、後述する接離用駆動部３で各板状ワークＷの表面側Ｗ１と接触（圧接）させることにより、面接触して粘着するように構成されている。
【００１３】
チャック本体１において複数の粘着部２の配列状態や配列個数などの設定は、転写基板１０に配列された複数の板状ワークＷのすべてを受け取る場合と、転写基板１０に配列された複数の板状ワークＷのうち選択した板状ワークＷのみを受け取る場合とで異なる。
すなわち、転写基板１０に配列された複数の板状ワークＷのすべてを受け取る場合は、転写基板１０に形成した複数の板状ワークＷの配列状態や配列個数、被転写基板２０に形成した複数の保持部２２の配列状態や配列個数と一致するように複数の粘着部２を配列形成する。
また転写基板１０に配列された複数の板状ワークＷのうち選択した板状ワークＷのみを受け取る場合は、選択する板状ワークＷの配列状態と一致するように複数の粘着部２を配列形成する。
このため、チャック本体１は、選択する板状ワークＷの配列状態や配列個数が変化する度に、これに対応して複数の粘着部２が配列されたチャック本体１を、予め複数種類用意する必要がある。
【００１４】
必要に応じてチャック本体１の表面１ａは、転写基板１０や被転写基板２０に向けて突出形成される複数の非粘着部２′を有することが好ましい。
複数の非粘着部２′は、チャック本体１の厚み方向（Ｚ方向）へ弾性変形可能な非粘着（非接着）な材料で複数の粘着部２と同じ厚みのシート状に形成され、複数の粘着部２とＸ方向やＹ方向又はＸＹ方向（Ｘ方向及びＹ方向）へ交互に配列している。
複数の粘着部２と複数の非粘着部２′の位置関係は、複数の粘着部２又は複数の非粘着部２′のいずれか一方を、転写基板１０の複数の板状ワークＷにおいて表面側Ｗ１の一部位Ｗ３とＺ方向へ対向させるとともに、複数の粘着部２又は複数の非粘着部２′の他方を、複数の板状ワークＷの表面側Ｗ１の他部位Ｗ４とＺ方向へ対向させるように配置することが好ましい。
さらに複数の非粘着部２′は、複数の板状ワークＷの表面側Ｗ１とＺ方向へ対向して略平行な非粘着面２ｂを有し、各非粘着面２ｂは、各板状ワークＷの表面側Ｗ１と略平行な平滑面に形成され、後述する接離用駆動部３で各板状ワークＷの表面側Ｗ１と接触（圧接）しても粘着（接着）せず剥離可能な面接触するように構成されている。
【００１５】
チャック本体１の一例として図１（ａ）〜（ｅ）及び図２に示される場合には、チャック本体１のＹ方向へ長尺な帯板状に形成された複数の粘着部２と複数の非粘着部２′をＸ方向へ交互に配列している。
図示例では、各粘着部２の粘着面２ａが各板状ワークＷの表面側Ｗ１の一部位Ｗ３としてＸ方向中央部とＺ方向へ対向し、各非粘着部２′の非粘着面２ｂが各板状ワークＷの表面側Ｗ１の他部位Ｗ４としてＸ方向両端部とＺ方向へ対向している。
またチャック本体１の他の例として図３に示される場合には、円板状に形成された複数の粘着部２をＸＹ方向（Ｘ方向及びＹ方向）へそれぞれ所定の周期で格子状に配列し、それ以外の部分に複数の非粘着部２′を交互に配列している。
図示例では、各粘着部２の粘着面２ａが各板状ワークＷの表面側Ｗ１の一部位Ｗ３としてＸＹ方向中心部とＺ方向へ対向し、各非粘着部２′の非粘着面２ｂが各板状ワークＷの表面側Ｗ１の他部位Ｗ４としてＸＹ方向外側部とＺ方向へ対向している。
なお、その他の例として図示しないが、図３の例で粘着部２の形状を円板状に代えて四角板状又は多角形若しくは楕円形の板状などに形成することや、図１（ａ）〜（ｅ）及び図２に示される例や図３に示される例において複数の粘着部２と複数の非粘着部２′を逆に配置することなどの変更が可能である。
【００１６】
さらにチャック本体１は、転写基板１０や被転写基板２０と光学的な位置合わせを可能にするため、透明部（図示しない）を有することが好ましい。透明部の具体例としては、チャック本体１の全体や一部を透明な材料で形成することや、スリット状の窓を開設することが挙げられる。
チャック本体１において複数の粘着部２を有する部位は、チャック本体１の中央側に配置することが好ましい。
チャック本体１の支持構造として図４（ａ）（ｂ）に示される場合には、チャック本体１の外側部１ｂを枠材１ｃで支持することにより、チャック本体１において複数の粘着部２や複数の非粘着部２′が配置される少なくとも中央側を、チャック本体１の厚み方向（Ｚ方向）へ移動可能に張架している。
また、その他の例として図示しないが、チャック本体１において少なくとも複数の粘着部２や複数の非粘着部２′が配置される中央側を、後述する剥がし用駆動部４により屈曲できれば、図示例以外の支持構造を用いることも可能である。
【００１７】
接離用駆動部３は、チャック本体１において複数の粘着部２や複数の非粘着部２′が配列される部位の一部又は全部を、転写基板１０や被転写基板２０に向けてチャック本体１の厚み方向（Ｚ方向）へ接近移動又は隔離移動させるアクチュエーターなどで構成される。
接離用駆動部３によってチャック本体１の一部又は全部は、複数の粘着部２が転写基板１０に配列した複数の板状ワークＷに向けＺ方向へ接近移動するとともに、転写基板１０からＺ方向へ隔離移動し、被転写基板２０に配列した複数の保持部２２に向けＺ方向へ接近移動する。
さらに接離用駆動部３は、後述する制御部５により作動制御している。
後述する制御部５による接離用駆動部３の制御例として図１（ａ）〜（ｅ）に示される場合には、先ず図１（ａ）に示される初期状態において接離用駆動部３によりチャック本体１を複数の粘着部２と複数の非粘着部２′が、転写基板１０に配列した複数の板状ワークＷとＺ方向へ対向し、且つ各粘着部２の粘着面２ａと各非粘着部２′の非粘着面２ｂが、各板状ワークＷの表面側Ｗ１と離隔するように配置させている。この配置状態で光学的な位置合わせ機構（図示しない）により、チャック本体１又は転写基板１０のいずれか一方を他方に対して相対的にＸＹ方向へ調整移動して、少なくとも複数の粘着部２と複数の板状ワークＷとの位置合わせが行われる。
図１（ａ）の位置合わせ状態で接離用駆動部３は、図１（ｂ）の実線に示されるように、チャック本体１を転写基板１０に向けＺ方向へ接近移動させて、複数の粘着部２の粘着面２ａや複数の非粘着部２′の非粘着面２ｂが、複数の板状ワークＷの表面側Ｗ１に圧接するように押圧している。これに伴って複数の粘着部２や複数の非粘着部２′がＺ方向へ弾性的に圧縮変形し、各板状ワークＷの表面側Ｗ１においてその一部位Ｗ３と他部位Ｗ４に対し、各粘着部２の粘着面２ａと各非粘着部２′の非粘着面２ｂが部分的に圧接する。複数の板状ワークＷの表面側Ｗ１（一部位Ｗ３）に対する複数の粘着部２の粘着面２ａの圧接で、各粘着面２ａが各板状ワークＷの表面側Ｗ１（一部位Ｗ３）に粘着する。
次に接離用駆動部３は、図１（ｂ）の一点鎖線に示されるように、チャック本体１を転写基板１０から離隔移動させて、複数の粘着部２や複数の非粘着部２′が弾性的に伸張変形する。
その後も図１（ｃ）に示されるように、接離用駆動部３によるチャック本体１の転写基板１０からの離隔移動が続いて、複数の粘着部２の粘着面２ａのみで粘着保持した複数の板状ワークＷの裏面側Ｗ２が転写基板１０の主面１１から離脱する。
これに続いて接離用駆動部３は、図１（ｄ）及び図２に示されるように、チャック本体１を被転写基板２０に向けＺ方向へ接近移動させて、複数の粘着部２で粘着保持した複数の板状ワークＷの裏面側Ｗ２が被転写基板２０の複数の保持部２２に圧接するように押圧している。これに伴い複数の保持部２２が変形して複数の板状ワークＷを保持するともに、複数の板状ワークＷの裏面側Ｗ２が複数の保持部２２と電気的に接続されて、複数の板状ワークＷの受け渡しが完了する。
【００１８】
接離用駆動部３の具体例として図４（ａ）（ｂ）に示される場合には、チャック本体１の裏面１ｄに沿って移動自在に設けられる部分押圧部材３ａと、部分押圧部材３ａをチャック本体１の厚み方向（Ｚ方向）と交差する方向（Ｘ方向やＹ方向）へ移動させるように設けられる滑動用駆動機構３ｂと、を有している。
部分押圧部材３ａは、所定の重量を有し、チャック本体１において複数の粘着部２や複数の非粘着部２′が配列される中央部分の裏面１ｄに対して、Ｘ方向やＹ方向へ移動自在に配置されている。
滑動用駆動機構３ｂは、アクチュエーターからなり、図４（ａ）に示される位置合わせ状態で、図４（ｂ）に示されるように、部分押圧部材３ａをチャック本体１の裏面１ｄに沿ってＸ方向やＹ方向へ移動させるように制御される。このため、移動中の部分押圧部材３ａの下方に位置される複数の粘着部２や複数の非粘着部２′は、部分押圧部材３ａの重さで転写基板１０に向けＺ方向へ押圧される。
図示例の場合には、部分押圧部材３ａとして押圧ローラが用いられ、この押圧ローラを滑動用駆動機構３ｂによりＸ方向へ片道移動又は往復動させている。
また、その他の例として図示しないが、部分押圧部材３ａとなる押圧ローラ３に代えてスキージなどをチャック本体１の裏面１ｄに沿って移動させることや、チャック本体１の略全体及び複数の粘着部２や複数の非粘着部２′の全体を平面状にＺ方向へ移動させる全面押圧部材を設けるなどの変更が可能である。
なお、部分押圧部材３ａの移動時や面押圧部材による全体的な押圧時において、部分押圧部材３ａや全面押圧部材からチャック本体１や複数の粘着部２や複数の非粘着部２′に対して微小振動が伝播するように構成することも可能である。
【００１９】
剥がし用駆動部４は、被転写基板２０の複数の保持部２２で保持された複数の板状ワークＷの表面側Ｗ１から複数の粘着部２の粘着面２ａを剥がすための機構である。剥がし用駆動部４は、チャック本体１の一部を被転写基板２０から離隔するようにチャック本体１の厚み方向（Ｚ方向）で且つ複数の粘着部２の配列方向（Ｘ方向やＹ方向）へ局部的に曲げるアクチュエーターなどで構成される。
さらに剥がし用駆動部４は、接離用駆動部３と同様に後述する制御部５により作動制御している。
後述する制御部５による剥がし用駆動部４の制御例としては、図１（ｅ）に示されるように、剥がし用駆動部４によりチャック本体１の一部を被転写基板２０から離隔するＺ方向へ曲げて、複数の保持部２２で保持された複数の板状ワークＷの表面側Ｗ１に対し、複数の粘着部２の粘着面２ａを傾動させている。傾動とは、各板状ワークＷの表面側Ｗ１に対して、各粘着部２の粘着面２ａを傾斜させながら、各板状ワークＷの表面側Ｗ１から離すことである。これに伴い複数の粘着部２の粘着面２ａは、チャック本体１の曲げ開始端より複数の板状ワークＷの表面側Ｗ１（一部位Ｗ３）に対して各粘着面２ａの外側一端部分から徐々に剥がれる。
ところで、従来から一般的に行われるように、板状ワークＷの表面側Ｗ１に粘着した各粘着部２の粘着面２ａをＺ方向へ剥がす場合は、粘着部２の粘着面２ａの全体を一気に引き剥がすため、密着面積の大気差圧に抗する大きな剥離力が必要となる。
これに対し、前述したように板状ワークＷの表面側Ｗ１に粘着した各粘着部２の粘着面２ａを傾動させた場合には、粘着部２の粘着面２ａにおいて一端部位から徐々に開口させるため、粘着面２ａの一端部位が僅かも剥がれ始めると、各粘着部２の粘着面２ａが瞬間的に大きな剥離力を必要せず剥がれる。
剥がし用駆動部４の具体例として図１（ｅ）に示される場合と図５に示される場合とでは、異なる条件下においてチャック本体１の一部を局部的に曲げているが、どちらも複数の保持部２２で保持された複数の板状ワークＷの表面側Ｗ１に対して、複数の粘着部２の粘着面２ａを傾動させる点で共通している。
【００２０】
剥がし用駆動部４の一例として図１（ｅ）に示される場合には、チャック本体１の裏面１ｄに沿って移動自在に設けられる第一部分加圧部材４ａと、第一部分加圧部材４ａを複数の板状ワークＷの配列方向へ移動させるように設けられる第一滑動用駆動機構４ｂと、第一部分加圧部材４ａの端面に沿ってチャック本体１が屈曲や折曲するようにチャック本体１を被転写基板２０から離隔移動させる引き離し用駆動機構４ｃと、を有している。
第一部分加圧部材４ａは、所定の重量を有し、チャック本体１において複数の粘着部２や複数の非粘着部２′が配列される中央部分の裏面１ｄに対して、Ｘ方向やＹ方向へ移動自在に配置されている。
第一滑動用駆動機構４ｂは、アクチュエーターからなり、図１（ｄ）の受け渡し状態で、第一部分加圧部材４ａをチャック本体１の裏面１ｄに沿ってＸ方向やＹ方向へ移動させるように制御される。このため、移動中の第一部分加圧部材４ａの下方に位置される複数の粘着部２や複数の非粘着部２′は、第一部分加圧部材４ａの重さで被転写基板２０の複数の保持部２２に向けＺ方向へ加圧される。
引き離し用駆動機構４ｃは、チャック本体１の外側部１ｂにおいてＸ方向やＹ方向の端部を、被転写基板２０からＺ方向へ離隔させながらＸ方向やＹ方向へ所定の張力で引っ張るように構成されている。このため、引き離し用駆動機構４ｃによるチャック本体１の引っ張りに伴ってチャック本体１の一部は、移動中の第一部分加圧部材４ａの後側端部４ｄに沿ってＺ方向へ屈曲される。この曲げ線１ｅは、その後の第一部分加圧部材４ａの移動に伴ってＸ方向やＹ方向へ移行される。
図示例の場合には、第一部分加圧部材４ａとしてチャック本体１のＹ方向全長と略同じ又はそれよりも長い帯板体が用いられ、この帯板体を第一滑動用駆動機構４ｂでＸ方向へ片道移動させている。これにより、図１（ｅ）及び図２の二点鎖線に示されるように、チャック本体１のＹ方向全長に亘る第一曲げ線１ｅに沿って、チャック本体１を局部的にＺ方向及びＸ方向へ屈曲させている。第一曲げ線１ｅは、その後の第一部分加圧部材４ａの移動に伴ってＸ方向へ移行する。
【００２１】
また剥がし用駆動部４の他の例として図５に示される場合には、チャック本体１の裏面１ｄに沿って移動自在に設けられる第二部分加圧部材４ｅと、第二部分加圧部材４ｅを複数の板状ワークＷ及び複数の保持部２２の配列方向へ移動させるように設けられる第二滑動用駆動機構４ｆと、を有している。
第二部分加圧部材４ｅは、所定の重量を有し、チャック本体１において複数の粘着部２や複数の非粘着部２′が配列される中央部分の裏面１ｄに対して、Ｘ方向やＹ方向へ移動自在に配置されてる。
第二滑動用駆動機構４ｆは、アクチュエーターからなり、図１（ｃ）の離脱状態で、第二部分加圧部材４ｅをチャック本体１の裏面１ｄに沿ってＸ方向やＹ方向へ移動させるように制御される。このため、チャック本体１の一部は、移動中の第二部分加圧部材４ｅの下側端面４ｇに沿ってＺ方向へ屈曲され、この曲げ線１ｅは、その後の第二部分加圧部材４ｅの移動に伴ってＸ方向やＹ方向へ移行される。これと同時に移動中の第二部分加圧部材４ｅの下方に位置する複数の粘着部２や複数の非粘着部２′は、第二部分加圧部材４ｅの重さで被転写基板２０の複数の保持部２２に向けＺ方向へ加圧される。
図示例の場合には、第二部分加圧部材４ｅとしてチャック本体１のＹ方向全長と略同じ又はそれよりも長い帯板体が用いられ、この帯板体を第二滑動用駆動機構４ｆでＸ方向へ片道移動させている。これにより、チャック本体１のＹ方向全長に亘る第二曲げ線１ｆに沿って、チャック本体１が局部的にＺ方向及びＸ方向へ屈曲される。第二曲げ線１ｆは、その後の第二部分加圧部材４ｅの移動に伴ってＸ方向へ移行する。
なお、その他の例として図示しないが、第一部分加圧部材４ａや第二部分加圧部材４ｅの形状を図示例以外の形状に変更することや、第一部分加圧部材４ａを第一滑動用駆動機構４ｂでＹ方向へ移動させることや、第二部分加圧部材４ｅを第二滑動用駆動機構４ｆでＹ方向へ移動させることなどの変更も可能である。
【００２２】
一方、複数の粘着部２は、加温により少なくともＺ方向へ膨張変形し且つ冷却によりＺ方向へ収縮変形する温度依存性が高い材料で形成し、後述する制御部５により接離用駆動部３を一時的に加温制御し、剥がし用駆動部４を冷却制御することが好ましい。
これと逆に複数の非粘着部２′は、加温や冷却により少なくともＺ方向へ形状変化しない温度依存性が低い材料で形成することが好ましい。
複数の粘着部２を複数の非粘着部２′に比べて加温によりＺ方向へ膨張する材料で形成した場合には、複数の粘着部２の粘着面２ａのみが膨張して複数の非粘着部２′の非粘着面２ｂよりも突出した状態となる。
複数の粘着部２を複数の非粘着部２′に比べて冷却によりＺ方向へ収縮する材料で形成した場合には、複数の粘着部２の粘着面２ａのみが収縮して複数の非粘着部２′の非粘着面２ｂよりも凹んだ状態となる。
接離用駆動部３の一時的な加温制御の具体例として図４（ａ）（ｂ）に示される場合には、接離用駆動部３となる部分押圧部材３ａがヒーターなどの加熱装置（図示しない）を内蔵し、後述する制御部５により作動制御される。
接離用駆動部３の一時的な加温制御例としては、図４（ｂ）に示されるように、Ｘ方向やＹ方向へ移動する部分押圧部材３ａにより、チャック本体１の複数の粘着部２を所定温度以上に加温しながら、転写基板１０に配列された複数の板状ワークＷに向けＺ方向へ押圧する。このため図示しないが、移動中の部分押圧部材３ａの下方に位置される複数の粘着部２は、部分押圧部材３ａからの加温に伴い、複数の粘着部２の粘着面２ａが複数の非粘着部２′の非粘着面２ｂよりも突出して、転写基板１０に配列した複数の板状ワークＷの表面側Ｗ１（一部位Ｗ３）と接近する。
剥がし用駆動部４を冷却制御の具体例として図１（ｅ）や図５に示される場合には、剥がし用駆動部４となる第一部分加圧部材４ａや第二部分加圧部材４ｅがクーラーなどの冷却装置（図示しない）を内蔵し、後述する制御部５により作動制御される。
剥がし用駆動部４の冷却制御例としては、図１（ｅ）や図５に示されるように、Ｘ方向やＹ方向へ移動する第一部分加圧部材４ａや第二部分加圧部材４ｅにより、チャック本体１の複数の粘着部２を所定温度以下に冷却しながら、被転写基板２０に配列された複数の保持部２２に向けＺ方向へ加圧する。このため、移動中の第一部分加圧部材４ａや第二部分加圧部材４ｅの下方に位置される複数の粘着部２は、第一部分加圧部材４ａや第二部分加圧部材４ｅからの冷却に伴い、複数の粘着部２の粘着面２ａが複数の非粘着部２′の非粘着面２ｂよりも凹んで、被転写基板２０の保持部２２で保持した複数の板状ワークＷの表面側Ｗ１（一部位Ｗ３）から離隔する。
【００２３】
ちなみに複数の板状ワークＷの表面側Ｗ１には、微細な凹凸が有り、複数の板状ワークＷがマイクロＬＥＤなどの微小素子や平板体などであっても、その表面側Ｗ１には微細な凹凸が有ることに変わりない。これと同様に複数の粘着部２の粘着面２ａにも微細な凹凸が有る。
また、複数の粘着部２を構成する粘着材料は、複数の板状ワークＷの表面側Ｗ１よりも柔軟で変形し易い。
このため下記の理由により、転写基板１０に配列された複数の板状ワークＷの表面側Ｗ１に対して複数の粘着部２の粘着面２ａを圧接させる押圧時（後述する押圧工程）では、複数の板状ワークＷの表面側Ｗ１と複数の粘着部２の粘着面２ａが必要以上の強度で粘着され、その後の剥離時（後述する剥離工程）において剥がすことが困難になる。
剥離困難な第一の理由としては、外的な押圧力により複数の粘着部２の粘着面２ａの微細な凹凸が弾性的に圧縮変形して、複数の粘着面２ａの微細な凹凸内の空気が押し出されてしまう。押圧力の終了後は、複数の粘着面２ａの微細な凹凸が復元（膨張）変形するため、複数の板状ワークＷの表面側Ｗ１の微細な凹凸との間に減圧空間が発生して剥離し難くなる。
剥離困難な第二の理由としては、外的な押圧力により複数の板状ワークＷの表面側Ｗ１が、複数の粘着部２の柔軟な粘着面２ａに埋もれてしまう。このため、複数の板状ワークＷの外周エッジ部に複数の粘着部２の粘着材料が絡み付いて剥離し難くなる。
【００２４】
そこで、本発明の実施形態に係るワーク転写用チャックＡの作動は、大気雰囲気で行う「大気作動」も可能であるが、減圧雰囲気で行う「減圧作動」の方が好ましい。
「減圧作動」の場合には、室内圧力が調整可能な変圧室Ｂの内部にワーク転写用チャックＡを配置して、複数の粘着部２による転写基板１０からの複数の板状ワークＷの受け取りと、接離用駆動部３による複数の板状ワークＷの被転写基板２０への搬送及び受け渡しと、剥がし用駆動部４による複数の板状ワークＷからの複数の粘着部２の剥離と、を変圧室Ｂの室内で行うことが好ましい。
変圧室Ｂは、チャンバー（図示しない）の内部に形成され、変圧室Ｂの室内を大気雰囲気から所定真空度の減圧雰囲気に調整する室圧調整手段（図示しない）を有している。
室圧調整手段は、真空ポンプなどの排気源からなり、後述する制御部５により作動制御される。
室圧調整手段の制御例としては、複数の板状ワークＷの受け取り時において、変圧室Ｂ内を大気圧Ｐ０よりも低圧な第一減圧雰囲気Ｐ１に制御することが好ましい。被転写基板２０への搬送時及び受け渡し時には、大気圧Ｐ０に制御することが好ましい。複数の板状ワークＷからの複数の粘着部２の剥離時には、第一減圧雰囲気Ｐ１と同じ又はそれよりも低圧な第二減圧雰囲気Ｐ２に制御することが好ましい。
第一減圧雰囲気Ｐ１や第二減圧雰囲気Ｐ２の具体例としては、第一減圧雰囲気Ｐ１を約９０Ｋｐａ、第二減圧雰囲気Ｐ２を約８０Ｋｐａなどのように大気圧（約１０１．３ＫＰａ）Ｐ０から約１０Ｋｐａ程度ずつ減圧されるように設定することが好ましい。
【００２５】
制御部５は、接離用駆動部３や剥がし用駆動部４や変圧室Ｂの室圧調整手段などとそれぞれ電気的に接続した制御回路（図示しない）を有するコントローラである。制御部５となるコントローラは、制御回路に予め設定されたプログラムに従って、予め設定されたタイミングで順次それぞれ作動制御している。
制御部５の制御回路に設定されたプログラムを、ワーク転写用チャックＡを用いたワーク転写方法として説明する。
本発明の実施形態に係るワーク転写用チャックＡによるワーク転写方法は、チャック本体１の複数の粘着部２を転写基板１０に配列された複数の板状ワークＷに圧接させる押圧工程と、複数の粘着部２の粘着面２ａを複数の板状ワークＷに粘着する粘着工程と、複数の粘着部２で粘着保持した複数の板状ワークＷを被転写基板２０の複数の保持部２２に圧接させる受け渡し工程と、複数の保持部２２に保持された複数の板状ワークＷから複数の粘着部２の粘着面２ａを剥がす剥離工程と、を主要な工程として含んでいる。
さらに押圧工程の前には、光学的な位置合わせ機構（図示しない）によりチャック本体１又は転写基板１０のいずれか一方を相対的にＸＹ方向へ調整移動して、複数の粘着部２と複数の板状ワークＷとを位置合わせする位置決め工程を含むことが好ましい。
図１（ａ）や図４（ａ）の位置決め工程では、変圧室Ｂ内を大気圧Ｐ０に維持することが好ましい。
【００２６】
押圧工程は、複数の粘着部２と複数の板状ワークＷとの位置合わせ状態から図１（ｂ）の実線や図４（ｂ）に示されるように、接離用駆動部３でチャック本体１を転写基板１０に向け接近移動させる。これにより、複数の粘着部２の粘着面２ａが複数の板状ワークＷの表面側Ｗ１（一部位Ｗ３）に圧接して弾性的に圧縮変形する。
「大気作動」の場合には、複数の板状ワークＷの表面側Ｗ１に対する複数の粘着部２の粘着面２ａの押圧に伴い、複数の粘着部２の粘着面２ａの微細な凹凸と複数の板状ワークＷの表面側Ｗ１の微細な凹凸との間に介在する空気の一部が相互間の外へ押し出されることで、複数の粘着部２がそれぞれ圧縮変形する。
粘着工程は、複数の板状ワークＷの表面側Ｗ１（一部位Ｗ３）に複数の粘着部２の粘着面２ａを圧接させることで、複数の粘着部２の粘着面２ａが複数の板状ワークＷの表面側Ｗ１（一部位Ｗ３）に粘着して仮保持する。これに続いて図１（ｂ）の一点鎖線や図４（ｂ）に示されるように、接離用駆動部３でチャック本体１を転写基板１０から離隔移動させる。これにより、複数の粘着部２が弾性的に伸張変形するものの、複数の板状ワークＷの粘着保持に変化はない。
特に「大気作動」の場合には、複数の板状ワークＷの表面側Ｗ１に対する複数の粘着部２の粘着面２ａの押圧に伴い、複数の粘着部２の粘着面２ａの微細な凹凸と複数の板状ワークＷの表面側Ｗ１の微細な凹凸との間に介在する空気の全てが相互間の外へ押し出されることはない。このため、複数の粘着部２の粘着面２ａの微細な凹凸と複数の板状ワークＷの表面側Ｗ１の微細な凹凸との間に残存した空気により、複数の粘着部２の粘着面２ａの有効な粘着面積を減らしてしまう。さらに複数の粘着部２の粘着面２ａの微細な凹凸と複数の板状ワークＷの表面側Ｗ１の微細な凹凸との間に残存した空気量は、複数の粘着部２の粘着面２ａにおいて個体差が生じる可能性があるため、複数の粘着部２の粘着面２ａによる複数の板状ワークＷの粘着保持力が不均一になることもある。
【００２７】
押圧工程及び粘着工程では、複数の粘着部２の粘着面２ａが複数の板状ワークＷの表面側Ｗ１に接触する前の時点で、変圧室Ｂ内を室圧調整手段によって大気圧Ｐ０から第一減圧雰囲気Ｐ１に減圧することが好ましい。これにより、第一減圧雰囲気Ｐ１で複数の粘着部２の粘着面２ａが、複数の板状ワークＷの表面側Ｗ１に圧接する。
複数の粘着部２の粘着面２ａが複数の板状ワークＷの表面側Ｗ１に圧接した後は大気圧Ｐ０に戻すことが好ましい。
「減圧作動」の場合には、複数の板状ワークＷの表面側Ｗ１に対して複数の粘着部２の粘着面２ａが圧接する前の時点で、既に複数の板状ワークＷの表面側Ｗ１の微細な凹凸と、複数の粘着部２の粘着面２ａの微細な凹凸との間が第一減圧雰囲気Ｐ１に減圧されている。このため、「大気作動」のように複数の板状ワークＷの表面側Ｗ１の微細な凹凸と、複数の粘着部２の粘着面２ａの微細な凹凸との間に介在する空気を外へ押し出す必要性が減り、複数の板状ワークＷの表面側Ｗ１に対する複数の粘着部２の粘着面２ａの押圧力が小さくて済む。
これにより「大気作動」に比べて、複数の板状ワークＷの表面側Ｗ１に対する複数の粘着部２の粘着面２ａの押圧力が小さくても確実に粘着保持可能となる。さらに複数の粘着部２の粘着面２ａの微細な凹凸と複数の板状ワークＷの表面側Ｗ１の微細な凹凸との間に残存した空気量も大幅に減少するため、密着面の残空が減るので押圧解除後の有効な粘着面積を大きく得られるため、複数の粘着部２の粘着面２ａの有効な粘着面積を増大できて、複数の粘着部２の粘着面２ａによる複数の板状ワークＷの粘着保持力を一定に管理可能となる。
【００２８】
その後、図１（ｃ）に示される離脱工程は、接離用駆動部３によるチャック本体１の離隔移動に伴い、複数の粘着部２の粘着面２ａで粘着保持された複数の板状ワークＷを転写基板１０から引き離している。
受け渡し工程は、図１（ｄ）や図５に示されるように、チャック本体１の複数の板状ワークＷを被転写基板２０に配列された複数の板状ワークＷの保持部２２と対向させた状態で行われる。この対向させて状態において、接離用駆動部３や第二部分加圧部材４ｅ及び第二滑動用駆動機構４ｆでチャック本体１を被転写基板２０に向け接近移動させる。これにより、複数の粘着部２の粘着面２ａで粘着保持した複数の板状ワークＷの裏面側Ｗ２が、被転写基板２０の複数の保持部２２に圧接して、各板状ワークＷが各保持部２２に保持される。
離脱工程及び受け渡し工程では、変圧室Ｂ内を大気圧Ｐ０に維持することが好ましい。
特に「減圧作動」の場合には、上述した理由により「大気作動」に比べて、複数の粘着部２の粘着面２ａによる複数の板状ワークＷの粘着保持が安定的に維持される。
【００２９】
剥離工程は、図１（ｅ）や図５に示されるように、剥がし用駆動部４でチャック本体１の一部を被転写基板２０から離隔するようにチャック本体１の厚み方向へ曲げる。これにより、被転写基板２０の複数の保持部２２で保持した複数の板状ワークＷの表面側Ｗ１（一部位Ｗ３）に対して、複数の粘着部２の粘着面２ａが傾動し、各粘着面２ａの外側一端部分から徐々に剥がれる。
つまり、図５に示される剥がし用駆動部４（第二滑動用駆動機構４ｆ）は、図１（ｃ）に示す複数の粘着部２の押圧前（離脱工程）から、図１（ｅ）に示す複数の板状ワークＷに対する複数の粘着部２の剥離（剥離工程）までを一連で行っている。
剥離工程では、変圧室Ｂ内を室圧調整手段によって大気圧Ｐ０から第一減圧雰囲気Ｐ１第一減圧雰囲気Ｐ１と同じ又はそれよりも低圧な第二減圧雰囲気Ｐ２に減圧することが好ましい。
「減圧作動」の場合には、複数の粘着部２の粘着面２ａと外側との気圧差が解消されるか、又は外側の方が減圧されるため、被転写基板２０の複数の保持部２２で保持した複数の板状ワークＷの表面側Ｗ１から複数の粘着部２の粘着面２ａが確実に剥がれる。
【００３０】
このような本発明の実施形態に係るワーク転写用チャックＡ及びワーク転写方法によると、複数の板状ワークＷが配列された転写基板１０に対してチャック本体１を対向させた状態で、制御部５により接離用駆動部３がチャック本体１を転写基板１０に向け（Ｚ方向へ）接近移動する。これにより、複数の粘着部２の粘着面２ａが複数の板状ワークＷ（表面側Ｗ１）に圧接して粘着保持される。
その後、複数の板状ワークＷの保持部２２が配列形成された被転写基板２０に対してチャック本体１を対向させた状態で、接離用駆動部３がチャック本体１を被転写基板２０に向けチャック本体１の厚み方向（Ｚ方向）へ接近移動する。これにより、複数の粘着部２の粘着面２ａで粘着保持した複数の板状ワークＷの裏面側Ｗ２が被転写基板２０の複数の保持部２２に圧接されて保持する。
その後に剥がし用駆動部４がチャック本体１の一部を被転写基板２０からチャック本体１の厚み方向（Ｚ方向）及び複数の粘着部２の配列方向（Ｘ方向やＹ方向）へ曲げ変形させる。これにより、複数の保持部２２で保持した複数の板状ワークＷの表面側Ｗ１に対し、複数の粘着部２が傾動して粘着面２ａの外側一端部分からスムーズに剥がれる。
したがって、複数の板状ワークＷがマイクロＬＥＤなどの微小素子や平板体などであっても、転写基板１０から複数の板状ワークＷを粘着保持して搬送し、搬送先では複数の板状ワークＷの表面側Ｗ１から複数の粘着部２の粘着面２ａが微小な力で各板状ワークＷへの機械的応力を抑制しながら剥離可能になって複数の板状ワークＷを確実に転写させることができる。
その結果、実装基板（装置基板）に対する仮基板（素子保持基板）の引き離し移動により実装基板と仮基板を直交方向へ引き剥がす従来のものに比べ、転写基板１０や被転写基板２０が大型で一度に大量の板状ワークＷを転写する場合であっても、複数の粘着部２による粘着力が妨げとならず、転写された複数の板状ワークＷから複数の粘着部２をソフトに剥離できて、剥離時における複数の板状ワークＷの変形や破損を防止できる。
これに加えて、剥離時に転写された複数の板状ワークＷが被転写基板２０に対して位置ズレせず、精度の低下を防止できる。
さらに仮基板の粘着材層が素子を埋め込み硬化することで仮基板に素子が仮固定される従来のものに比べ、複数の粘着部２を繰り返し再利用できるだけでなく、複数の粘着部２に真空圧力などの外的な用力を必要としないために全体構造を簡素化でき、微小素子を受け渡すワーク転写用チャックＡを低コストで作製できる。
【００３１】
特に、剥がし用駆動部４は、チャック本体１の裏面１ｄに沿って移動自在な所定重量の部分加圧部材（第一部分加圧部材４ａ，第二部分加圧部材４ｅ）を有し、部分加圧部材（第一部分加圧部材４ａ，第二部分加圧部材４ｅ）の端面（後側端部４ｄ，下側端面４ｇ）に沿ってチャック本体１を局部的に曲げることが好ましい。
この場合には、図１（ｅ）や図５に示されるように、チャック本体１の一部が移動中の部分加圧部材（第一部分加圧部材４ａ，第二部分加圧部材４ｅ）の端面（後側端部４ｄ，下側端面４ｇ）に沿って局部的に屈曲される。これと同時に、移動中の部分加圧部材（第一部分加圧部材４ａ，第二部分加圧部材４ｅ）の下方に位置する各粘着部２が被転写基板２０の複数の保持部２２に向け加圧される。
このため、被転写基板２０の各保持部２２で保持した各板状ワークＷの表面側Ｗ１に対して、部分加圧部材（第一部分加圧部材４ａ，第二部分加圧部材４ｅ）の重量で各粘着部２の加圧しながら、チャック本体１の局部的な屈曲により各板状ワークＷの表面側Ｗ１から各粘着部２の粘着面２ａが傾動して剥がされる。
したがって、剥離時における各板状ワークＷの浮き上がりを防止することができる。
その結果、被転写基板２０に対する複数の板状ワークＷの位置ズレを確実に防止でき、精度の向上が図れる。
【００３２】
さらに、チャック本体１の表面１ａに複数の粘着部２と複数の非粘着部２′が、複数の粘着部２の配列方向（Ｘ方向又はＹ方向若しくはＸＹ方向）へ交互に配置され、複数の粘着部２又は複数の非粘着部２′のいずれか一方を、転写基板１０の複数の板状ワークＷにおいて表面側Ｗ１の一部Ｗ３と対向するように配置し、複数の粘着部２又は複数の非粘着部２′の他方を、複数の板状ワークＷの表面側Ｗ１の他部位Ｗ４と対向するように配置させることが好ましい。
この場合には、図１（ｅ）や図５に示されるように、接離用駆動部３によるチャック本体１の転写基板１０への接近移動に伴い、各板状ワークＷの表面側Ｗ１においてその一部位Ｗ３と他部位Ｗ４に対し、各粘着部２の粘着面２ａと各非粘着部２′（の非粘着面２ｂ）が部分的に圧接する。
これにより、各板状ワークＷの表面側Ｗ１の全体に各粘着部２の粘着面２ａを粘着させる場合に比べ、各板状ワークＷの表面側Ｗ１の全体に対する各粘着部２の粘着面２ａの粘着面積が減少する。
このため、その後の剥がし用駆動部４によるチャック本体１の被転写基板２０からの離隔方向への局部的な曲げに伴い、複数の保持部２２で保持した複数の板状ワークＷの表面側Ｗ１に対し、複数の粘着部２が傾動して粘着面２ａの外側一端部分から剥がれ易くなる。
したがって、被転写基板２０の保持部２２で保持された複数の板状ワークＷの表面側Ｗ１から複数の粘着部２の粘着面２ａを確実に剥がすことができる。
その結果、被転写基板２０に対する複数の板状ワークＷの位置ズレをより確実に防止でき、更なる精度の向上が図れる。
【００３３】
また、複数の粘着部２が、加温により膨張し冷却により収縮する材料で形成され、制御部５により接離用駆動部３が加温制御され、剥がし用駆動部４を冷却制御することが好ましい。
この場合には、接離用駆動部３の加温制御で複数の粘着部２を加温することに伴い、各粘着部２の粘着面２ａが膨張して、各非粘着部２′の非粘着面２ｂよりも突出する。このため、転写基板１０に配列した複数の板状ワークＷの表面側Ｗ１に粘着し易くなる。
これと逆で図１（ｅ）に示されるように、剥がし用駆動部４の冷却制御で複数の粘着部２を冷却することに伴い、各粘着部２の粘着面２ａが収縮して各非粘着部２′の非粘着面２ｂよりも凹む。このため、被転写基板２０の保持部２２で保持した複数の板状ワークＷの表面側Ｗ１から各粘着部２の粘着面２ａが剥がれ易くなる。
したがって、複数の粘着部２の温度制御で複数の板状ワークＷに対する粘着性と剥離性を向上させることができる。
その結果、転写基板１０から複数の板状ワークＷを確実に受け取って被転写基板２０の所定位置へ確実に受け渡すことができて、更なる受け渡し精度の向上が図れる。
【００３４】
またさらに、チャック本体１及び複数の粘着部２と、接離用駆動部３と、剥がし用駆動部４と、転写基板１０又は被転写基板２０が変圧室Ｂの内部に配置され、変圧室Ｂは、制御部５で作動制御される室圧調整手段を有し、制御部５は、室圧調整手段により変圧室Ｂを、複数の粘着部２による複数の板状ワークＷの受け取り時に大気圧Ｐ０よりも低圧な第一減圧雰囲気Ｐ１に制御し、接離用駆動部３による被転写基板２０への受け渡し時に大気圧Ｐ０に戻し、剥がし用駆動部４による複数の板状ワークＷからの複数の粘着部２の剥離時に第一減圧雰囲気Ｐ１と同じ又はそれよりも低圧な第二減圧雰囲気Ｐ２に制御することが好ましい。
この場合には、押圧力により複数の板状ワークＷの表面側Ｗ１や複数の粘着部２の粘着面２ａの微細な凹凸が弾性的に圧縮変形したり、押圧力により複数の板状ワークＷの表面側Ｗ１が、柔軟な各粘着部２の粘着面２ａに埋もれて各板状ワークＷの外周エッジ部に各粘着部２の粘着材料が絡み付いたりしても、その後に剥離困難とならない。
したがって、変圧室Ｂの内圧制御で複数の板状ワークＷの粘着と剥離をより確実に行うことができる。
その結果、転写基板１０から複数の板状ワークＷを確実に受け取って被転写基板２０の所定位置へ確実に受け渡すことができて、更なる受け渡し精度の向上が図れる。
【００３５】
なお、前示の実施形態において図示例では、転写基板１０に配列された複数の板状ワークＷを、チャック本体１の複数の粘着部２で受け取って、搬送先の被転写基板２０の保持部２２に受け渡して転写（実装）したが、これに限定されず、配列された複数の板状ワークＷのうち選択した板状ワークＷのみを仮転写して再配列し、仮転写された板状ワークＷを搬送先の被転写基板２０の保持部２２に受け渡して本転写（実装）してもよい。
この場合には、複数のチャック本体１を用いて、間引選択手順と部分転写手順を繰り返す選択転写方式により可能になる。
さらに図示例では、転写基板１０における複数の板状ワークＷの配列状態と、被転写基板２０における複数の保持部２２の配列状態と、チャック本体１における複数の粘着部２の配列状態を、Ｘ方向及びＹ方向へそれぞれ所定の周期で格子状に配列しているが、これに限定されず、格子状以外の形状で配列してもよい。
【符号の説明】
【００３６】
Ａ  ワーク転写用チャック                １  チャック本体
１ａ  表面                              １ｄ  裏面
２  粘着部                              ２ａ  粘着面
２′  非粘着部                          ２ｂ  非粘着面
３  接離用駆動部                        ４  剥がし用駆動部
４ａ  部分加圧部材（第一部分加圧部材）  ４ｂ′  曲げ移動方向
４ｄ  端面（後側端部）                  ４ｅ  部分加圧部材（第二部分加圧部材）
４ｇ  端面（下側端面）                  ５  制御部
１０  転写基板                          ２０  被転写基板
２２  保持部                            Ｂ  変圧室
Ｐ０  大気圧                            Ｐ１  第一減圧雰囲気
Ｐ２  第二減圧雰囲気                    Ｗ  板状ワーク
Ｗ１  表面側                            Ｗ３  一部位
Ｗ４  他部位
【図１】
2020027809.tif 000003
【図２】
2020027809.tif 000004
【図３】
2020027809.tif 000005
【図４】
2020027809.tif 000006
【図５】
2020027809.tif 000007
【手続補正書】
【提出日】平成31年1月18日(2019.1.18)
【手続補正１】
【補正対象書類名】特許請求の範囲
【補正対象項目名】全文
【補正方法】変更
【補正の内容】
【特許請求の範囲】
【請求項１】
転写基板に配列した微小素子が含まれる複数の板状ワークを、前記転写基板から受け取って被転写基板の所定位置に受け渡すワーク転写用チャックであって、
前記複数の板状ワークを配列した前記転写基板か、又は前記複数の板状ワークの保持部を配列した前記被転写基板のいずれか一方と対向するように設けられる曲げ変形可能なシート状のチャック本体と、
前記チャック本体の表面に前記チャック本体の厚み方向へ弾性変形可能に突出形成され、且つ前記転写基板の前記複数の板状ワーク又は前記被転写基板の前記複数の保持部と前記チャック本体の厚み方向へ対向して配列される複数の粘着部及び複数の非粘着部と、
前記転写基板又は前記被転写基板のいずれか一方に対して前記チャック本体の前記複数の粘着部及び前記複数の非粘着部を、前記チャック本体の厚み方向へ接近移動或いは隔離移動させる接離用駆動部と、
前記チャック本体の一部を前記被転写基板から離隔する前記チャック本体の厚み方向へ曲げる剥がし用駆動部と、
前記接離用駆動部及び前記剥がし用駆動部の作動制御と加温又は冷却の温度制御を行う制御部と、を備え、
前記制御部は、前記接離用駆動部の作動制御による前記チャック本体の前記転写基板への接近移動に伴って、前記接離用駆動部の温度制御で前記複数の非粘着部の非粘着面よりも突出した前記複数の粘着部の粘着面が前記複数の板状ワークに圧接し、前記接離用駆動部の作動制御による前記チャック本体の前記被転写基板への接近移動に伴い、前記複数の粘着部で粘着保持した前記複数の板状ワークが前記被転写基板の前記複数の保持部に圧接して保持され、前記剥がし用駆動部による前記チャック本体の前記被転写基板からの離隔方向への局部的な曲げに伴い、前記複数の保持部で保持した前記複数の板状ワークに対し、前記剥がし用駆動部の温度制御で前記複数の非粘着部の前記非粘着面よりも凹んだ前記複数の粘着部の前記粘着面が傾動して剥がれるように制御されることを特徴とするワーク転写用チャック。
【請求項２】
前記剥がし用駆動部は、前記チャック本体の裏面に沿って移動自在な所定重量の部分加圧部材を有し、前記部分加圧部材の端面に沿って前記チャック本体が局部的に屈曲されることを特徴とする請求項１記載のワーク転写用チャック。
【請求項３】
前記チャック本体の前記表面に前記複数の粘着部と複数の非粘着部が、前記複数の粘着部の配列方向へ交互に配置され、前記複数の粘着部又は前記複数の非粘着部のいずれか一方が、前記転写基板の前記複数の板状ワークにおいて表面側の一部位と対向するように配置され、前記複数の粘着部又は前記複数の非粘着部の他方が、前記複数の板状ワークの前記表面側の他部位と対向するように配置されることを特徴とする請求項１又は２記載のワーク転写用チャック。
【請求項４】
前記チャック本体及び前記複数の粘着部と、前記接離用駆動部と、前記剥がし用駆動部と、前記転写基板又は前記被転写基板が変圧室の内部に配置され、前記変圧室は、前記制御部で作動制御される室圧調整手段を有し、前記制御部は、前記室圧調整手段により前記変圧室を、前記複数の粘着部による前記複数の板状ワークの受け取り時に大気圧よりも低圧な第一減圧雰囲気に制御し、前記接離用駆動部による前記被転写基板への受け渡し時に前記大気圧に戻し、前記剥がし用駆動部による前記複数の板状ワークからの前記複数の粘着部の剥離時に前記第一減圧雰囲気と同じ又はそれよりも低圧な第二減圧雰囲気に制御することを特徴とする請求項１、２又は３記載のワーク転写用チャック。
【請求項５】
転写基板に配列した微小素子が含まれる複数の板状ワークを、前記転写基板から受け取って被転写基板の所定位置に受け渡すワーク転写方法であって、
接離用駆動部及び剥がし用駆動部の作動制御と加温又は冷却の温度制御を行う制御部が備えられ、
曲げ変形可能なシート状のチャック本体の表面に突出形成された弾性変形可能な複数の粘着部及び前記複数の非粘着部を、前記転写基板に配列された前記複数の板状ワークと対向した状態で、前記接離用駆動部の作動制御により前記チャック本体が前記転写基板に向け接近移動して、前記接離用駆動部の温度制御で前記複数の非粘着部の非粘着面よりも突出した前記複数の粘着部の粘着面を前記複数の板状ワークに圧接させる押圧工程と、
前記複数の粘着部の前記粘着面を前記複数の板状ワークに粘着する粘着工程と、
前記チャック本体の前記複数の粘着部及び前記複数の非粘着部が、前記被転写基板に配列した前記複数の板状ワークの保持部と対向した状態で、前記接離用駆動部の作動制御により前記チャック本体が前記被転写基板に向け接近移動して、前記複数の粘着部に粘着保持した前記複数の板状ワークを前記被転写基板の前記保持部に圧接させて保持する受け渡し工程と、
前記剥がし用駆動部の作動制御により前記チャック本体の一部が前記被転写基板から離隔する前記チャック本体の厚み方向及び前記複数の粘着部の配列方向へ曲げられ、前記複数の保持部で保持された前記複数の板状ワークに対し、前記剥がし用駆動部の温度制御で前記複数の非粘着部の前記非粘着面よりも凹んだ前記複数の粘着部の前記粘着面を傾動して剥がす剥離工程と、を含むことを特徴とするワーク転写方法。
【手続補正２】
【補正対象書類名】明細書
【補正対象項目名】０００５
【補正方法】変更
【補正の内容】
【０００５】
このような課題を解決するために本発明に係るワーク転写用チャックは、転写基板に配列した微小素子が含まれる複数の板状ワークを、前記転写基板から受け取って被転写基板の所定位置に受け渡すワーク転写用チャックであって、前記複数の板状ワークを配列した前記転写基板か、又は前記複数の板状ワークの保持部を配列した前記被転写基板のいずれか一方と対向するように設けられる曲げ変形可能なシート状のチャック本体と、前記チャック本体の表面に前記チャック本体の厚み方向へ弾性変形可能に突出形成され、且つ前記転写基板の前記複数の板状ワーク又は前記被転写基板の前記複数の保持部と前記チャック本体の厚み方向へ対向して配列される複数の粘着部及び複数の非粘着部と、前記転写基板又は前記被転写基板のいずれか一方に対して前記チャック本体の前記複数の粘着部及び前記複数の非粘着部を、前記チャック本体の厚み方向へ接近移動或いは隔離移動させる接離用駆動部と、前記チャック本体の一部を前記被転写基板から離隔する前記チャック本体の厚み方向へ曲げる剥がし用駆動部と、前記接離用駆動部及び前記剥がし用駆動部の作動制御と加温又は冷却の温度制御を行う制御部と、を備え、前記制御部は、前記接離用駆動部の作動制御による前記チャック本体の前記転写基板への接近移動に伴って、前記接離用駆動部の温度制御で前記複数の非粘着部の非粘着面よりも突出した前記複数の粘着部の粘着面が前記複数の板状ワークに圧接し、前記接離用駆動部の作動制御による前記チャック本体の前記被転写基板への接近移動に伴い、前記複数の粘着部で粘着保持した前記複数の板状ワークが前記被転写基板の前記複数の保持部に圧接して保持され、前記剥がし用駆動部による前記チャック本体の前記被転写基板からの離隔方向への局部的な曲げに伴い、前記複数の保持部で保持した前記複数の板状ワークに対し、前記剥がし用駆動部の温度制御で前記複数の非粘着部の前記非粘着面よりも凹んだ前記複数の粘着部の前記粘着面が傾動して剥がれるように制御されることを特徴とする。
また、このような課題を解決するために本発明に係るワーク転写方法は、転写基板に配列した微小素子が含まれる複数の板状ワークを、前記転写基板から受け取って被転写基板の所定位置に受け渡すワーク転写方法であって、接離用駆動部及び剥がし用駆動部の作動制御と加温又は冷却の温度制御を行う制御部が備えられ、曲げ変形可能なシート状のチャック本体の表面に突出形成された弾性変形可能な複数の粘着部及び前記複数の非粘着部を、前記転写基板に配列された前記複数の板状ワークと対向した状態で、前記接離用駆動部の作動制御により前記チャック本体が前記転写基板に向け接近移動して、前記接離用駆動部の温度制御で前記複数の非粘着部の非粘着面よりも突出した前記複数の粘着部の粘着面を前記複数の板状ワークに圧接させる押圧工程と、前記複数の粘着部の前記粘着面を前記複数の板状ワークに粘着する粘着工程と、前記チャック本体の前記複数の粘着部及び前記複数の非粘着部が、前記被転写基板に配列した前記複数の板状ワークの保持部と対向した状態で、前記接離用駆動部の作動制御により前記チャック本体が前記被転写基板に向け接近移動して、前記複数の粘着部に粘着保持した前記複数の板状ワークを前記被転写基板の前記保持部に圧接させて保持する受け渡し工程と、前記剥がし用駆動部の作動制御により前記チャック本体の一部が前記被転写基板から離隔する前記チャック本体の厚み方向及び前記複数の粘着部の配列方向へ曲げられ、前記複数の保持部で保持された前記複数の板状ワークに対し、前記剥がし用駆動部の温度制御で前記複数の非粘着部の前記非粘着面よりも凹んだ前記複数の粘着部の前記粘着面を傾動して剥がす剥離工程と、を含むことを特徴とする。
【手続補正書】
【提出日】平成31年3月22日(2019.3.22)
【手続補正１】
【補正対象書類名】特許請求の範囲
【補正対象項目名】請求項５
【補正方法】変更
【補正の内容】
【請求項５】
転写基板に配列した微小素子が含まれる複数の板状ワークを、前記転写基板から受け取って被転写基板の所定位置に受け渡すワーク転写方法であって、
接離用駆動部及び剥がし用駆動部の作動制御と加温又は冷却の温度制御を行う制御部が備えられ、
曲げ変形可能なシート状のチャック本体の表面に突出形成された弾性変形可能な複数の粘着部及び複数の非粘着部を、前記転写基板に配列された前記複数の板状ワークと対向した状態で、前記接離用駆動部の作動制御により前記チャック本体が前記転写基板に向け接近移動して、前記接離用駆動部の温度制御で前記複数の非粘着部の非粘着面よりも突出した前記複数の粘着部の粘着面を前記複数の板状ワークに圧接させる押圧工程と、
前記複数の粘着部の前記粘着面を前記複数の板状ワークに粘着する粘着工程と、
前記チャック本体の前記複数の粘着部及び前記複数の非粘着部が、前記被転写基板に配列した前記複数の板状ワークの保持部と対向した状態で、前記接離用駆動部の作動制御により前記チャック本体が前記被転写基板に向け接近移動して、前記複数の粘着部に粘着保持した前記複数の板状ワークを前記被転写基板の前記保持部に圧接させて保持する受け渡し工程と、
前記剥がし用駆動部の作動制御により前記チャック本体の一部が前記被転写基板から離隔する前記チャック本体の厚み方向及び前記複数の粘着部の配列方向へ曲げられ、前記複数の保持部で保持された前記複数の板状ワークに対し、前記剥がし用駆動部の温度制御で前記複数の非粘着部の前記非粘着面よりも凹んだ前記複数の粘着部の前記粘着面を傾動して剥がす剥離工程と、を含むことを特徴とするワーク転写方法。
【手続補正２】
【補正対象書類名】明細書
【補正対象項目名】０００５
【補正方法】変更
【補正の内容】
【０００５】
このような課題を解決するために本発明に係るワーク転写用チャックは、転写基板に配列した微小素子が含まれる複数の板状ワークを、前記転写基板から受け取って被転写基板の所定位置に受け渡すワーク転写用チャックであって、前記複数の板状ワークを配列した前記転写基板か、又は前記複数の板状ワークの保持部を配列した前記被転写基板のいずれか一方と対向するように設けられる曲げ変形可能なシート状のチャック本体と、前記チャック本体の表面に前記チャック本体の厚み方向へ弾性変形可能に突出形成され、且つ前記転写基板の前記複数の板状ワーク又は前記被転写基板の前記複数の保持部と前記チャック本体の厚み方向へ対向して配列される複数の粘着部及び複数の非粘着部と、前記転写基板又は前記被転写基板のいずれか一方に対して前記チャック本体の前記複数の粘着部及び前記複数の非粘着部を、前記チャック本体の厚み方向へ接近移動或いは隔離移動させる接離用駆動部と、前記チャック本体の一部を前記被転写基板から離隔する前記チャック本体の厚み方向へ曲げる剥がし用駆動部と、前記接離用駆動部及び前記剥がし用駆動部の作動制御と加温又は冷却の温度制御を行う制御部と、を備え、前記制御部は、前記接離用駆動部の作動制御による前記チャック本体の前記転写基板への接近移動に伴って、前記接離用駆動部の温度制御で前記複数の非粘着部の非粘着面よりも突出した前記複数の粘着部の粘着面が前記複数の板状ワークに圧接し、前記接離用駆動部の作動制御による前記チャック本体の前記被転写基板への接近移動に伴い、前記複数の粘着部で粘着保持した前記複数の板状ワークが前記被転写基板の前記複数の保持部に圧接して保持され、前記剥がし用駆動部による前記チャック本体の前記被転写基板からの離隔方向への局部的な曲げに伴い、前記複数の保持部で保持した前記複数の板状ワークに対し、前記剥がし用駆動部の温度制御で前記複数の非粘着部の前記非粘着面よりも凹んだ前記複数の粘着部の前記粘着面が傾動して剥がれるように制御されることを特徴とする。
また、このような課題を解決するために本発明に係るワーク転写方法は、転写基板に配列した微小素子が含まれる複数の板状ワークを、前記転写基板から受け取って被転写基板の所定位置に受け渡すワーク転写方法であって、接離用駆動部及び剥がし用駆動部の作動制御と加温又は冷却の温度制御を行う制御部が備えられ、曲げ変形可能なシート状のチャック本体の表面に突出形成された弾性変形可能な複数の粘着部及び複数の非粘着部を、前記転写基板に配列された前記複数の板状ワークと対向した状態で、前記接離用駆動部の作動制御により前記チャック本体が前記転写基板に向け接近移動して、前記接離用駆動部の温度制御で前記複数の非粘着部の非粘着面よりも突出した前記複数の粘着部の粘着面を前記複数の板状ワークに圧接させる押圧工程と、前記複数の粘着部の前記粘着面を前記複数の板状ワークに粘着する粘着工程と、前記チャック本体の前記複数の粘着部及び前記複数の非粘着部が、前記被転写基板に配列した前記複数の板状ワークの保持部と対向した状態で、前記接離用駆動部の作動制御により前記チャック本体が前記被転写基板に向け接近移動して、前記複数の粘着部に粘着保持した前記複数の板状ワークを前記被転写基板の前記保持部に圧接させて保持する受け渡し工程と、前記剥がし用駆動部の作動制御により前記チャック本体の一部が前記被転写基板から離隔する前記チャック本体の厚み方向及び前記複数の粘着部の配列方向へ曲げられ、前記複数の保持部で保持された前記複数の板状ワークに対し、前記剥がし用駆動部の温度制御で前記複数の非粘着部の前記非粘着面よりも凹んだ前記複数の粘着部の前記粘着面を傾動して剥がす剥離工程と、を含むことを特徴とする。